(57)【特許請求の範囲】
【請求項１】
アンテナと、
マルチポートパス選択構成を含む無線通信装置であって、
該マルチポートパス選択構成が、
前記アンテナに接続されたアンテナポートと、
第１の受信ポートと、
第２の受信ポートと、
第１の送信ポートと、
第２の送信ポートと、
前記第１の受信ポートに接続された第１の端部を有し、さらに前記アンテナポートに接続された第２の端部を有する第１の受信フィルタと、
前記第２の受信ポートに接続された第１の端部を有し、さらに前記アンテナポートに接続された第２の端部を有する第２の受信フィルタと、
前記第１の送信ポートに接続された第１の端部を有し、さらに前記アンテナポートに接続された第２の端部を有する第１の送信帯域阻止フィルタと、及び
前記第２の送信ポートに接続された第１の端部を有し、さらに前記アンテナポートに接続された第２の端部を有する第２の送信帯域阻止フィルタと、を有し、
前記第１の送信帯域阻止フィルタと前記第２の送信帯域阻止フィルタは音響形式の共振器を含み、固定された周波数応答を有し、かつ同調不能であることを特徴とする無線通信装置。
【請求項２】
前記第１の受信フィルタ及び前記第２の受信フィルタそれぞれは、帯域通過フィルタを有する、請求項１に記載の無線通信装置。
【請求項３】
前記マルチポートパス選択構成は、デュプレクサである、請求項１に記載の無線通信装置。
【請求項４】
前記マルチポートパス選択構成は、マルチプレクサである、請求項１に記載の無線通信装置。
【請求項５】
前記無線通信装置は、無線移動局を有する、請求項１に記載の無線通信装置。
【請求項６】
前記無線通信装置は、無線基地局を有する、請求項１に記載の無線通信装置。
【請求項７】
前記第１の送信帯域阻止フィルタは、複数の阻止帯域を提供する、請求項１に記載の無線通信装置。
【請求項８】
前記第１の受信フィルタは、受信帯域阻止フィルタを有する、請求項７に記載の無線通信装置。
【請求項９】
前記第１の受信フィルタは、複数の阻止帯域を提供する、請求項８に記載の無線通信装置。
【請求項１０】
前記音響形式の共振器は、表面弾性波（SAW）共振器、薄膜バルク音響共振器（FBAR）、バルク音波（BAW）共振器から選択される、請求項１に記載の無線通信装置。
【請求項１１】
前記音響形式の共振器は、はしご形構成に構成される、請求項１０に記載の無線通信装置。
【請求項１２】
前記第１の送信帯域阻止フィルタは、前記第１の送信帯域阻止フィルタの通過帯域で比較的弱い音響振動を有し、前記第１の送信帯域阻止フィルタの阻止帯域で比較的強い音響振動を有する、請求項１に記載の無線通信装置。
【請求項１３】
アンテナと、
マルチプレクサと、を備えた無線通信装置であって、
該マルチプレクサが、
前記アンテナに接続されたアンテナポートと、
該アンテナポートを介し無線通信装置の第１の受信パスに第１の受信フィルタを経由して接続された第１の受信ポートと、
前記アンテナポートを介し前記無線通信装置の第２の受信パスに第２の受信フィルタを経由して接続された第２の受信ポートと、
前記アンテナポートを介し無線通信装置の第１の送信パスに第１の送信帯域阻止フィルタを経由して接続された第１の送信ポートと、及び、
前記アンテナポートを介し前記無線通信装置の第２の送信パスに第２の送信帯域阻止フィルタを経由して接続された第２の送信ポートと、
を有し、前記第１の送信帯域阻止フィルタと前記第２の送信帯域阻止フィルタは音響形式の共振器を含み、固定された周波数応答を有し、かつ同調不能であることを特徴とする無線通信装置。
【請求項１４】
前記第１の受信フィルタは、帯域阻止フィルタを有する、請求項１３に記載の無線通信装置。
【請求項１５】
前記第１の受信フィルタは、複数の阻止帯域を提供する、請求項１４に記載の無線通信装置。
【請求項１６】
前記第１の送信帯域阻止フィルタは、複数の阻止帯域を提供する、請求項１３に記載の無線通信装置。
【請求項１７】
無線通信を可能にする方法であって、
無線通信装置にアンテナを提供し、
前記アンテナに接続されたアンテナポートと、
第１の受信ポートと、
第２の受信ポートと、
第１の送信ポートと、
第２の送信ポートと、
を有するマルチポートパス選択構成を提供し、
前記第１の受信ポートに接続された第１の端部を有し、さらに前記アンテナポートに接続された第２の端部を有する第１の受信フィルタを提供し、
前記第２の受信ポートに接続された第１の端部を有し、さらに前記アンテナポートに接続された第２の端部を有する第２の受信フィルタを提供し、
音響形式の共振器を含み、前記第１の送信ポートに接続された第１の端部を有し、さらに前記アンテナポートに接続された第２の端部を有する第１の同調不能、固定された周波数応答の送信帯域阻止フィルタを提供し、
音響形式の共振器を含み、前記第２の送信ポートに接続された第１の端部を有し、さらに前記アンテナポートに接続された第２の端部を有する第２の同調不能、固定された周波数応答の送信帯域阻止フィルタを提供すること、を備えた方法。
【発明の詳細な説明】
【技術分野】
【０００１】
本発明は、概して少なくとも１つの帯域阻止フィルタを含むフィルタを有するデュプレクサ／マルチプレクサに関する。
【背景技術】
【０００２】
無線端末又は無線基地局のような無線通信装置は、無線周波数（RF：radio  frequency）通信のような無線通信を実行する無線トランシーバを含む。無線通信装置は、同じアンテナを使用して異なる周波数帯域で同時の送受信を可能にしつつ、無線トランシーバにより送信される比較的高電力の送信信号が無線トランシーバにより受信される比較的低電力の受信信号を圧倒しないことを確保するため、デュプレクサ（又はマルチプレクサ）を含むことができる。
【０００３】
デュプレクサは、（アンテナに接続するための）アンテナポートと、（アンテナポートから信号を受信するための）受信ポートと、（アンテナポートに信号を送信するための）送信ポートとを有する。マルチプレクサは、アンテナポートと、１つ以上の受信ポートと、１つ以上の送信ポートとを有する。デュプレクサはマルチプレクサの一種である点に留意すべきである。
【０００４】
デュプレクサ又はマルチプレクサは、音響形式（acoustic-type）の共振器で実装された帯域通過フィルタを含むことができる。音響形式の共振器で実装された帯域通過フィルタを含む通常のデュプレクサ／マルチプレクサは、比較的限られた最大電力処理機能を有する。これは、WiMax（Worldwide  Interoperability  for  Microwave  Access）用途又はLTE（Long-Term  Evolution）用途のような高電力の高周波数の用途で、このような通常のデュプレクサ／マルチプレクサの使用を妨げる可能性がある。WiMaxは、IEEE（Institute  of  Electrical  and  Electronics  Engineers）802.16標準（IEEE802.16e又はIEEE802.16e-005で修正された）に基づく。WiMaxは、比較的高いデータレートで移動局のブロードバンド無線接続を提供することができる。LTEは、UMTS（Universal  Mobile  Telecommunications  System）技術への拡張を提供する技術である。LTEは、TS23.401及び23.402に記載されている。
【発明の概要】
【発明が解決しようとする課題】
【０００５】
音響形式の共振器を備えた帯域通過フィルタを使用する通常のデュプレクサ／マルチプレクサでは、高電力及び高周波数通信が音響形式の共振器の金属電極の超音波振動を生じさせる可能性がある。このことは、共振器の金属粒子の境界が移動する音響移動（acousto-migration）と呼ばれる現象をもたらす可能性がある。音響移動現象は、フィルタの寿命を減少させる可能性がある。従って、このようなフィルタは、特定の種類の無線ネットワークで必要になり得る所望の電力レベル及び周波数で望ましい期間に耐えることができない可能性がある。
【課題を解決するための手段】
【０００６】
概して、実施例によれば、無線通信装置は、アンテナと、アンテナに接続されたアンテナポート及び無線通信装置のそれぞれの受信及び送信パスに接続された複数のポートを有するマルチポートパス選択構成（例えば、デュプレクサ又はマルチプレクサ）とを含む。マルチパス選択構成は、送信パスに接続された帯域阻止フィルタと、受信パスに接続された第２のフィルタとを有する。
【図面の簡単な説明】
【０００７】
【図１】実施例に従ってデュプレクサ又はマルチプレクサを含む無線通信装置のブロック図
【図２】デュプレクサの受信ポート及び送信ポートに接続された帯域通過フィルタを含む通常のデュプレクサの概略図
【図３】図２の帯域通過フィルタにより提供される送信及び受信帯域を示すグラフ
【図４】実施例に従って受信ポートに接続された受信フィルタと、送信ポートに接続された帯域阻止フィルタとを含むデュプレクサの概略図
【図５】図４のフィルタにより提供される送信及び受信帯域を示すグラフ
【図６】実施例に従ってデュプレクサ又はマルチプレクサで使用される帯域阻止フィルタを実装するはしご形構成に構成された音響形式の共振器
【図７】図６の共振器の共振周波数及び反共振周波数を示すグラフ
【図８】受信ポートに接続された帯域阻止フィルタと、送信ポートに接続された帯域阻止フィルタとを含む他の実施例に従ったデュプレクサの概略図
【図９】図８のフィルタにより提供される送信及び受信帯域を示すグラフ
【図１０】他の実施例に従って受信ポートに接続された帯域通過フィルタと、送信ポートに接続された帯域阻止フィルタとを含むマルチプレクサの概略図
【図１１】図１０のフィルタにより提供される送信及び受信帯域を示すグラフ
【図１２】更なる実施例に従って受信ポートに接続された帯域通過フィルタと、送信ポートに接続された帯域阻止フィルタとを含むマルチプレクサの概略図
【図１３】図１２のフィルタにより提供される送信及び受信帯域を示すグラフ
【図１４】実施例に従って複数の阻止帯域を提供するカスケード状の帯域阻止フィルタで形成された帯域阻止フィルタの概略図
【図１５】図１４の帯域阻止フィルタにより提供される複数の阻止帯域を示すグラフ
【図１６】受信ポートに接続された帯域通過フィルタと、送信ポートに接続された帯域阻止フィルタとを含む更なる実施例に従ったデュプレクサの概略図
【図１７】図１６のフィルタにより提供される送信及び受信帯域を示すグラフ
【図１８】受信ポートに接続された帯域阻止フィルタと、送信ポートに接続された帯域阻止フィルタとを含む更なる実施例に従ったデュプレクサの概略図
【図１９】図１８のフィルタにより提供される送信及び受信帯域を示すグラフ
【図２０】更なる実施例に従って受信ポートに接続された帯域阻止フィルタと、送信ポートに接続された帯域阻止フィルタとを含むマルチプレクサの概略図
【図２１】図２０のフィルタにより提供される送信及び受信帯域を示すグラフ
【発明を実施するための形態】
【０００８】
他の特徴及び代替の特徴は、以下の詳細な説明、図面及び特許請求の範囲から明らかになる。
【０００９】
以下の説明において、本発明の理解を提供するために複数の詳細が示されている。しかし、或る実施例は、これらの実施例なしに実行されてもよく、記載の実施例からの複数の変更又は変形が可能であることが、当業者によりわかる。
【００１０】
或る実施例によれば、無線通信装置のアンテナに接続されたアンテナポートと、無線通信装置のそれぞれの受信及び送信パスに接続された複数のポートとを有する無線通信装置で使用されるマルチポートパス選択構成が提供される。無線通信装置の例は、無線端末（移動局）と、無線基地局と、無線通信を実行可能な他の装置とを含む。
【００１１】
マルチポートパス選択構成は、デュプレクサ又はマルチプレクサでもよい。一般的に、マルチポートパス選択構成は、無線通信装置の送信及び受信パスを通じて通信される信号を選択的にルーティングする回路を含む。このような回路は、無線通信装置のアンテナから信号を受信し、受信信号を無線通信装置の受信パスにルーティングすることができる。同様に、マルチポートパス選択構成は、送信信号を無線通信装置の送信パスの送信回路からアンテナにルーティングすることができる。受信及び送信信号の“ルーティング（routing）”は、マルチパス選択構成に提供されるフィルタを使用することで実現される。フィルタは、それぞれの受信及び送信周波数帯域の信号を通過させるように設計される。或る実施例によれば、送信パスに接続されたフィルタは、帯域阻止フィルタであり、受信パスに接続されたフィルタは、帯域通過フィルタでもよく、帯域阻止フィルタでもよい。
【００１２】
デュプレクサは、無線通信装置のアンテナに接続されたアンテナポートと、無線通信装置のそれぞれの受信及び送信パスに接続するための単一の受信ポート及び単一の送信ポートとを有する。マルチプレクサは、無線通信装置のアンテナに接続するためのアンテナポートと、それぞれの受信及び送信パスに接続された２つ以上のポートとを含む。デュプレクサは、マルチプレクサの一種である点に留意すべきである。
【００１３】
マルチプレクサは、（異なる受信周波数帯域に対応する）複数の受信ポート及び／又は（複数の送信周波数帯域に対応する）複数の送信ポートを有する。複数の受信ポートは、無線通信装置の１つ又は複数の受信パスに接続されてもよい。複数の送信ポートは、無線通信装置の１つ又は複数の送信ポートに接続されてもよい。複数の受信周波数帯域及び／又は複数の送信周波数帯域が、それぞれちょうど１つの受信パス又は送信パスを共有することも可能である点に留意すべきである。この理由は、無線通信装置は、通常では、何らかの所与の時点でちょうど単一の受信又は送信周波数帯域で動作するからである。或いは、異なる受信周波数帯域又は異なる送信周波数帯域について、無線通信装置の別々のパスが提供されてもよい。
【００１４】
図１は、実施例に従ってデュプレクサ又はマルチプレクサ102を含む例示的な無線通信装置100を示している。以下の説明において、“マルチプレクサ”102への言及が行われるが、この説明は同様にデュプレクサにも当てはまることがわかる。無線通信装置100は、他の通信装置と無線周波数（RF：radio  frequency）信号を通信するためのアンテナ104を有する。例えば、無線通信装置100は、無線基地局と無線で通信する無線端末（例えば、移動局）でもよい。或いは、無線通信装置100は、無線端末と通信する基地局でもよい。
【００１５】
無線通信装置は、WiMax（Worldwide  Interoperability  for  Microwave  Access）ネットワーク、LTE（Long-Term  Evolution）ネットワーク、又は他の種類のネットワークのような無線通信ネットワークで使用されてもよい。LTEへの言及は、現在の標準3GPP  TS23.401及び23.402又は何らかの後の標準に規定されるようなLTEに基づく如何なる技術をも示す。LTEへの言及はまた、後の標準が“LTE”という名前で呼ばれるか否かに拘らず、LTEの進展から導かれる如何なる後の標準を示してもよい。
【００１６】
マルチプレクサ102は、アンテナ104に接続されたアンテナポート106を有する。マルチプレクサ102のアンテナポート106は、直接又は間接に（他の回路を通じて）アンテナ104に“接続”される。
【００１７】
マルチプレクサはまた、無線通信装置100の受信パス110に接続するための受信ポート108と、無線通信装置の送信パス114に接続するための送信ポート112とを有する。受信パス110は、マルチプレクサ102を通じてアンテナ104から信号を受信する受信回路116を含む。送信パス114は、マルチプレクサ102を通じてアンテナ104に送信される送信信号を生成する送信回路118を含む。
【００１８】
マルチプレクサ102は、それぞれ受信及び送信周波数帯域の信号を通過させるフィルタ120及び122を有する。また、点線で示しているものは、他のフィルタ124及び他のポート126であり、他のフィルタ124及びポート126は、無線通信装置100の特定の構成に応じて送信パス又は受信パスに接続されてもよい。
【００１９】
通常のデュプレクサ10が図２に示されており、通常のデュプレクサ10は、アンテナポート12と、（無線通信装置の受信パスに接続される）受信ポート14と、（無線通信装置の送信パスに接続される）送信ポート16とを有する。通常のデュプレクサ10は、それぞれ受信及び送信ポート14及び16に接続された帯域通過フィルタ（BPF：bandpass  filter）18及び20を使用する。帯域通過フィルタ18及び20は、音響形式の共振器で実装されてもよい。
【００２０】
図３は、それぞれ帯域通過フィルタ20及び18により提供される送信周波数帯域22及び受信周波数帯域24のグラフである。図３のグラフは、周波数の関数としての（デシベル又はdBの観点での）挿入損失を示している。挿入損失は、通信パスへの装置の挿入から生じる信号電力の減少である。前述のように、デュプレクサ10のような通常のデュプレクサの帯域通過フィルタ18及び20は、高電力及び高周波数での音響移動現象により生じる劣化を受ける。
【００２１】
或る実施例によれば、通常行われているようにデュプレクサ10で帯域通過フィルタ18及び20を使用する代わりに、デュプレクサ200の送信ポートに接続された帯域阻止フィルタ202と、デュプレクサ200の受信ポートに接続された受信フィルタ204とを含むデュプレクサ200（図４に図示する）が提供される。帯域阻止フィルタ202及び受信フィルタ204の双方は、アンテナポートに接続される。或る実施例によれば、受信フィルタ204は、帯域通過フィルタでもよく、帯域阻止フィルタでもよい。
【００２２】
典型的には、デュプレクサ200を通じて送信ポートからアンテナポートに送信される送信信号は、比較的高電力に関連し、デュプレクサ200を通じてアンテナポートから受信ポートに通信される受信信号は比較的低電力に関連する。受信フィルタ204は、デュプレクサ200を通じて通信される高電力の送信信号に対して受信ポート（及び受信ポートに接続された受信回路）を保護するように動作する。
【００２３】
帯域阻止フィルタ202で、音響振動は阻止帯域で比較的強いが、帯域阻止フィルタの通過帯域で比較的弱い点に留意すべきである。このことにより、減少した音響移動の問題で帯域阻止フィルタ202が比較的高電力の送信信号を処理することが可能になる。更に、帯域阻止フィルタの他の特性は、帯域通過フィルタに比べて、通過帯域で低い位相歪みを有し、小さいリップル（ripple）を有する点にある。
【００２４】
受信フィルタ204が帯域通過フィルタで実装されることを仮定すると、受信及び送信周波数帯域は図５に示すものになる。図５は、周波数の関数として挿入損失を示している。帯域通過フィルタ204は、通過帯域302を提供する。すなわち、通過帯域302の下又は上の周波数を有する如何なる信号も帯域通過フィルタ204により減衰又は阻止される。帯域阻止フィルタ202は、阻止帯域304を提供する。すなわち、阻止帯域304内の周波数を有する如何なる信号も減衰又は阻止され、阻止帯域304の上又は下の周波数を有する如何なる信号も帯域阻止フィルタ202を通過する。図５の通過帯域302及び阻止帯域304は重複する。帯域阻止フィルタ202により提供される送信パスの通過帯域は、参照符号306A及び306Bにより表され、これらは阻止帯域304（及び帯域通過フィルタ204により提供される通過帯域302）の２つの側面にある。
【００２５】
受信方向では、信号が受信帯域302内の周波数を有する場合、帯域通過フィルタ204は、信号をアンテナポートからデュプレクサ200の受信ポートに通過させる。他方、送信方向では、帯域阻止フィルタ202は、帯域阻止フィルタ202を通じて阻止帯域304の外側の周波数を有する信号を送信ポートからアンテナポートに通過させる。
【００２６】
図６に示すように、帯域阻止フィルタは、はしご形構成で構成された音響形式の共振器RES1及びRES2で実装されてもよい。はしご形構成は、２つのポートPORT1及びPORT2の間に直列に接続された第１の音響形式の共振器RES1（“直列共振器”と呼ばれる）と、PORT2と接地との間に接続された第２の音響形式の共振器RES2（“シャント共振器（shunt  resonator）”と呼ばれる）とを含む。はしご形の構成では、PORT1とPORT2との間に２つ（以上）の共振器が存在してもよく、フィルタと接地との間に接続された２つ（以上）のシャント共振器が存在してもよい点に留意すべきである。
【００２７】
各共振器RES1及びRES2は、表面弾性波（SAW：surface  acoustic  wave）共振器、薄膜バルク音響共振器（FBAR：thin  film  bulk  acoustic  resonator）、バルク音波（BAW：bulk  acoustic  wave）共振器、又は他の種類の音響形式の共振器のうちいずれか１つでもよい。BAW共振器は、表面実装共振器（SMR：surface  mounted  resonator）の形式のBAW共振器でもよい。
【００２８】
図６の直列共振器RES1は、関心のある阻止帯域304で高インピーダンスを提示するように設計される。直列共振器RES1は、阻止帯域周波数で反共振になるように構成される（一例による直列共振器RES1の反共振周波数が図７に示されている）。このことは、直列共振器RES1が反共振周波数で高インピーダンスを提示することを意味する。これに対して、シャント共振器RES2は、阻止帯域周波数（阻止帯域304内の周波数）で低インピーダンスを提供するように構成される。これは、シャント共振器RES2を阻止帯域304で共振又はほぼ共振になるように設計することで実現される。シャント共振器RES2の共振周波数は、図７に404として表されている。
【００２９】
直列共振器RES1の共振周波数は、図７に406として表されており、シャント共振器RES2の反共振周波数は、図７に408として表されている。直列共振器RES1の共振周波数406は、阻止帯域304のすぐ下であり、帯域阻止フィルタの通過帯域306と阻止帯域304との間である。共振周波数406では、直列共振器RES1は低いインピーダンスを有する。通過帯域306Aでは、シャント共振器RES2は、単に接地への容量性負荷を提示する。
【００３０】
シャント共振器RES2の反共振周波数408は、阻止帯域304のすぐ上であり、阻止帯域304と通過帯域306Bとの間である。反共振周波数408では、シャント共振器RES2は接地への高いインピーダンスを提示する。しかし、通過帯域306Bでは、直列共振器RES1は、容量性直列インピーダンスを提示する。阻止帯域304のかなり上又は下の周波数では、直列及びシャント共振器は、単に高Qキャパシタとして動作する。
【００３１】
このように、共振器RES1及びRES2により提供されるフィルタの全体的効果は、阻止帯域304の周波数を有するポートPORT1及びPORT2の間を通過する信号について高いインピーダンスを提供することにある。
【００３２】
図８は、受信フィルタ204が（図４に示す帯域通過フィルタの代わりに）帯域阻止フィルタで実装されるデュプレクサ200の実装を示している。この構成では、デュプレクサ200の受信及び送信ポートの双方が帯域阻止フィルタに接続される。
【００３３】
図９に示すように、送信ポートの帯域阻止フィルタ202は送信阻止帯域304に関連し、受信ポートの帯域阻止フィルタ204は受信阻止帯域402に関連する。帯域阻止フィルタ204は、受信阻止帯域402の外部の周波数を有する信号が帯域阻止フィルタ204を通過することを許可し、帯域阻止フィルタ202は、送信阻止帯域304の外部の周波数を有する信号が帯域阻止フィルタ202を通過することを許可する。
【００３４】
図１０は、アンテナポートと、２つの受信ポート（RX1ポート及びRX2ポート）と、２つの送信ポート（TX1ポート及びTX2ポート）を有するマルチプレクサ500を示している。２つの受信ポートは、ちょうど１つの受信パス（及び図１の回路116のような関連する受信回路）に接続されてもよく、或いは、２つの受信ポートは、２つの異なる受信パスに接続されてもよい。同様に、送信ポートは、ちょうど１つの送信パス（及び図１の118のような関連する送信回路）に接続されてもよく、或いは、送信ポートは、複数の送信パスに接続されてもよい。他の実装では、マルチプレクサ500は、２つより多くの送信ポート及び／又は２つより多くの受信ポートを有してもよい。異なる受信ポートは、異なる受信周波数帯域に関連し、異なる送信ポートは、異なる送信周波数帯域に関連する。
【００３５】
マルチプレクサ500の受信ポートは、対応する帯域通過フィルタ502及び504に接続され、送信ポートは、帯域阻止フィルタ506及び508に接続される。それぞれの帯域通過フィルタ及び帯域阻止フィルタ502、504、506及び508は、マルチプレクサ500のアンテナポートに接続される。
【００３６】
図１１のグラフに示すように、受信通過帯域602は、RX1ポートの帯域通過フィルタ502により提供される通過帯域に対応し、受信通過帯域604は、RX2ポートの帯域通過フィルタ504により提供される。
【００３７】
送信阻止帯域606は、TX1ポートの帯域阻止フィルタ506により提供され、送信阻止帯域608は、TX2ポートの帯域阻止フィルタ508により提供される。
【００３８】
図１０は、２つのそれぞれの阻止帯域606及び608（図１１）を提供するために別々の帯域阻止フィルタ506及び508を示しているが、複数の阻止帯域を提供する図１２に示すマルチプレクサ700の帯域阻止フィルタ702のように、単一の帯域阻止フィルタが代わりに使用されてもよい。マルチプレクサ700は、帯域阻止フィルタ702に接続された１つの送信ポートを有する。
【００３９】
図１３の図は、図１３の阻止帯域606及び608が２つの別々の帯域阻止フィルタ506及び508（図１０）の代わりに１つの帯域阻止フィルタ702（図１２）により提供される点を除いて、図１１に示すものと同じ受信通過帯域602及び604と、送信阻止帯域606及び608とを示している。
【００４０】
帯域阻止フィルタ702は、複数の阻止帯域606及び608を提供するために、複数のカスケード状の帯域阻止フィルタユニットを含む。複数の帯域阻止フィルタユニットをカスケード接続することは、帯域阻止フィルタユニットが直列に接続されることを意味する。例えば、図１４に示すように、３つの帯域阻止フィルタユニット802、804及び806は、PORT1及びPORT2の間に直列に（カスケード状に）接続される。図１５に示すように、それぞれの帯域阻止フィルタユニット802、804及び806は、それぞれの阻止帯域を規定する。帯域阻止フィルタユニット802は、阻止帯域902を提供し、帯域阻止フィルタユニット804は、阻止帯域904を提供し、帯域阻止フィルタユニット806は、阻止帯域906を提供する。それぞれの帯域阻止フィルタユニットは、共振器の構成を含み、図１４の実施例では、それぞれの帯域阻止フィルタユニットは、はしご形構成に構成された２つの直列共振器と２つのシャント共振器とを含む。図１３の２つの送信阻止帯域606及び608を提供するために、２つの帯域阻止フィルタユニット（例えば、802、804及び806のうちいずれか２つ）は、帯域阻止フィルタ702を形成するように直列に（カスケード状に）接続されてもよい。他の実装では、全ての帯域阻止フィルタユニットの共振器は、はしご形構成におけるその位置について混在した構成で構成されてもよい。すなわち、それぞれの帯域阻止フィルタユニットは、全体のフィルタ構成に分配されたその共振器を有してもよく、必ずしも一緒に構成された共振器を有するとは限らない。
【００４１】
図１６は、複数の阻止帯域1102、1104及び1106（図１７）を提供する送信ポートの帯域阻止フィルタ1002を有するデュプレクサ1000の代替実施例を示している。従って、帯域阻止フィルタ1002は、阻止帯域1102、1104及び1106のいずれかの周波数を有する信号をブロックすることができる。
【００４２】
デュプレクサ1000の受信ポートに接続された帯域通過フィルタ1004は、通過帯域1108（図１７）を提供する。
【００４３】
図１８は、デュプレクサ1200の受信ポートに接続された帯域阻止フィルタ1202と、デュプレクサ1200の送信ポートに接続された帯域阻止フィルタ1204とを含むデュプレクサ1200の他の実施例を示している。図１９に示すように、それぞれの帯域阻止フィルタ1202及び1204は、複数の阻止帯域を提供する。受信ポートの帯域阻止フィルタ1202は、阻止帯域1312、1310及び1314を提供し、送信ポートの帯域阻止フィルタ1204は、阻止帯域1304、1302及び1306を提供する。
【００４４】
図２０は、RX1,RX2,...,RXnポートの第１の帯域阻止フィルタ1302と、TX1,TX2,...,TXnポートの第２の帯域阻止フィルタ1304とを含むマルチプレクサ1300の他の実施例を示している。図２１に示すように、帯域阻止フィルタ1302は、阻止帯域1402、1404及び1406を提供し、帯域阻止フィルタ1304は、阻止帯域1408、1410及び1412を提供する。
【００４５】
前述の説明では、本発明の理解を提供するために複数の詳細が示されている。しかし、本発明はこれらの詳細なしに実行されてもよいことが、当業者にわかる。本発明について限られた数の実施例に関して説明したが、当業者はこれらから複数の変更及び変形を認識する。特許請求の範囲は、本発明の真の要旨及び範囲内にあるこのような変更及び変形をカバーすることを意図する。
【図１】
0005671464.tif 000002
【図２】
0005671464.tif 000003
【図３】
0005671464.tif 000004
【図４】
0005671464.tif 000005
【図５】
0005671464.tif 000006
【図６】
0005671464.tif 000007
【図７】
0005671464.tif 000008
【図８】
0005671464.tif 000009
【図９】
0005671464.tif 000010
【図１０】
0005671464.tif 000011
【図１１】
0005671464.tif 000012
【図１２】
0005671464.tif 000013
【図１３】
0005671464.tif 000014
【図１４】
0005671464.tif 000015
【図１５】
0005671464.tif 000016
【図１６】
0005671464.tif 000017
【図１７】
0005671464.tif 000018
【図１８】
0005671464.tif 000019
【図１９】
0005671464.tif 000020
【図２０】
0005671464.tif 000021
【図２１】
0005671464.tif 000022